(57)【要約】【課題】  景観舗装施工後の路面表面の洗出し施工に際して、種々の材質に対応して骨材間に異物を残留させることなく、且つ湿体の路面状態であっても骨材間の粘結材を剥離することなく洗出しを行う景観舗装における路面研掃機。【解決手段】  電動機等により走行可能なる様に車輪を設けて密閉可能なる機体の後端部には、研掃路面に対して高圧空気を吹き付ける噴気管の下端にブローノズルを配設すると共に、機体の前端部には研削粉塵を吸引する吸引管を設け、機体の中間部に水平に高速回転する回転軸を単列若しくは複数列横設し、この回転軸の周囲には種々の研掃刃を交換可能にして放射状に取着してなる。【選択図】  図１
2005061184.tif 000002
【特許請求の範囲】
【請求項１】
電動機１等により自走又は手動で正逆に走行可能なる様に車輪２、３を設けて密閉可能なる様に構成した機体４の後端部には、研掃路面に対して高圧空気を吹き付ける噴気管６の下端にブローノズル７を路面に近接して配設すると共に、機体４の前端部上方には研削粉麈を吸引する吸引管９を設け、次いで機体４の中間部に水平に高速回転し且っ、回転方向、回転数を可変とし更に昇降を自在とした回転軸１０を単列若しくは複数列横設し、この回転軸１０の周囲には種々の研掃刃１１を交換可能として放射状に取着してなる景観舗装における路面研掃機。
【発明の詳細な説明】
【発明の詳細な説明】
【発明の属する分野】
【０００１】  本発明は、透水性舗装若しくは排水性舗装等と言われる開粒舗装又は種々の着色磁気質骨材等を混入したカラーアスファルト舗装等の景観舗装施工後の路面表面洗出し施工に際して、種々の材質に対応して骨材間に異物を残留させて美観を損なうことなく、且つ湿体の路面状態であっても骨材間の粘結材を剥離することなく美麗に路面表面を洗出しする様にした景観舗装における路面研掃機に関するものである。
【背景技術】
【０００２】  近年は、公園の散歩道、遊歩道等のプロムナードと言われる路面又は、各種の公的、私的を問わない道路、通路、駐車場等においては建物等の構造物及びこれらを取り巻く環境及び都市全体の景観上及び現代都市としての構造物と自然環境の調和を図る為に、これらの路面には開粒舗装又はカラーアスハァルト舗装等の景観舗装が多用されているものである。【０００３】  而して、景観舗装とされるものには、セメント、粘結材、骨材、水等の特殊配合によるコンクリート舗装及びこれらの材質の一部を置換したアスファルト舗装では、骨材間に微小の空隙を残しつつこれらを粘結材で結合することにより透水性、保水性、通気性、それに舗装として十分に供用出来る強度を備えた所謂透水性舗装又は排水性舗装と言われる開粒舗装がある。
また、近時においては産業廃棄物として処分されている良質なセラミックである使用済み碍子を破砕方法の工夫と物理性状を改善すると共にこれに種々な色に着色したものを骨材とし、これを前同様に粘結材により結合させて着色骨材を表面に浮き出させる様にしたカラーアスファルト舗装が開発されているものである。【０００４】  しかしながら、これらの景観舗装施工後、骨材間に空隙を設けて透水性等を設けた開粒舗装又は、着色骨材を路面表面に浮き出させるカラーアスファルト舗装の路面表面の洗出し方法においては、乾式方法には遠心投射方式とエアーブラスト方式（バキューム式、オープンブラスト式）があり、これらの方法によれば小さな鋼球の研掃材を遠心投射又は高圧空気と共に路面の表面に高速投射して路面表面を洗い出すものである。
又、湿式方法には前同様の小さな鋼球の研掃材又は砂粒を高圧の水流と共に路面表面に打ち付けるウオーターブラスト方式か、各種の研磨治具を水平若しくは垂直に高速回転させると共に回転摩擦を避ける為に多くの水を掛けながらこれを行う研磨方式（平面回転式、研削チップ付平板回転式）により路面の表面を洗い出しているものである。
【発明が解決しようとする課題】
【０００５】  しかしながら、かかる路面の洗出し方法の内、乾式方法の場合にあっては路面表面に小さな鋼粒の研掃材が高速投射されることにより表面の粘結材等を剥離して路面表面に空隙を設けた透水性及び排水性に富んだ開粒舗装とし、
又は、着色された磁気質骨材の色を洗い出してカラーアスファルト舗装となるものであるが、路面表面に生じた骨材間の空隙内には小さな研掃材が必然的に残留するので、これを磁石或いは高圧空気で除去作業を行っても完全除去が出来ず、骨材間に残留する研掃材が多く、これが後に錆を発生すると共に骨材間の空隙を埋めて透水性を阻害して開粒舗装の意味をなさしめているものである。
【０００６】  更には鋼粒の研掃材が着色された磁気質骨材を錆により汚すと同時に粘結材の剥離を促進して景観を著しく損なうものであり、又、洗出し時に生じる粉塵を吸引する集塵機の吸引風量を増大してもこの空隙内に入り込んだ研掃材を完全除去することが出来ず、洗出し路面及びその内部に水分があるとこの水分までも集塵機が吸引して集塵機の性能が発揮出来ず美麗なる洗出しが出来ないものである。
【０００７】  又、湿式方法の場合にあっては、小さな鋼粒の研掃材若しくは砂粒を多量の水と共に吹き付けて路面表面の洗出しを行うが、この高圧水により骨材間を結んでいる粘結材の剥離を促進し、尚且つ必然的に多量に発生する汚水が骨材間の空隙を埋めることに成なると共に粘結材の剥離を促進して路盤の寿命を短くし、更にはこの汚水により着色した骨材間に水垢や錆等の不純物質が発生して前同様の美観を損ない景観舗装の意味を無くし、これを是正するには多大な汚水の吸収及び濾過処理装置が必要となって設備機械が大型化するので処理単価が高価と成る等の種々の憂いを生じているものである。
【課題を解決するための手段】
【０００８】    本発明はかかる問題点を是正せんが為に発明されたものであって、舗装表面の洗出しに際して、路面表面に生じさせる空隙に容易に埋没可能な小粒の研掃材及び路盤の短命化に繋がる多量の水勢を利用することなく、治具を介して種々の研掃回転刃を高速回転させることにより、舗装表面を研掃して洗出しを行うと同時に研掃後の粉塵を吸引する集塵機の排気気流を再循環利用して、前記研掃回転場刃に向けてブロー気流として吹き付けることにより洗出し施工後の路面には何らの異物を残さず全てを研削粉塵と共に吸引除去するものである
【０００９】  故に本発明によれば、従来例の如く他の異物を投射或いは吹き付け、更には高圧水流を利用するものではないので、研掃洗出し後の路面には研掃材及び水が残留することなく本来の透水性と排水性のある開粒舗装又は着色骨材の色をそのまま表面に浮き出させるカラーアスファルト舗装の洗出しが可能となり、且つ、錆や汚水による変色や粘結材の剥離の憂いもなく十分に路面強度を保持しつつ長期間のあいだ景観舗装の美観を保持するもので
【発明の実施の態様】
【００１０】  本発明は、原動機又は電動機により自走又は手動で平面、斜面及び壁面等の路面上を正逆に走行可能なる様に前後に車輪を設けて密閉可能なる様に構成した機体の後端部には、研削粉塵を路面上に残留させることなく空気を吹き付ける噴気管の先端に設けたブローノズルを路面に近接して配設すると共に、機体の前端部上方には研削粉塵を吸引する吸引管を設け、更にこれらのブローノズルと吸引管の間の機体中間部に、水平に高速回転する回転軸を単列若しくは複数列横設する。
【００１１】  又、この回転軸の周囲には、水洗い路面に適した砥石、鑢、鋼線、ディスクタイプ研磨剤、不織布タイプ、フラップホイールタイプ及びペーパータイプ等の研掃刃を適宜放射状に配置して、この回転軸の回転方向、回転数を可変とし、且つ昇降を自在とし、更にこれとリンクして機体の走行速度を任意に組み合わせて路面の水洗いを行うものである。
【００１２】  而して、前記機体にみでは路面の洗出しが不可能で、この機体と集塵機等を搭載し随伴し走行する公知の搬送機として例えば、原動機若しくは電動機により搭載して随伴し走行する公知の搬送機として例えば、原動機若しくは電動機により自走可能とした搬送機に、比較的大きい塵埃を分離除去するサイクロンセパレーターを連接する集塵機を搭載し、集塵機のブロアーの高速回転の吸引によりサイクロンセパレーターより吸引される粉塵は、前記機体の前端部上方に設けた吸引孔より連結されている排気フレシキブルホースによりサイクロンセパレーターに吸引されここで比較的大きいい塵埃を分離除去され、更に微細な粉塵は集塵機に導入されて集塵濾過して排気管より大気へ放出されるものである。
【００１３】  而して、この時のブロアーによる排気気流の一部を排気管により分離した噴気フレシキブルホースにより前記機体の後端部に設けた噴気管に接続してこれよりブローノズルを介して洗出し路面にブロー気流として吹き付けて施工後の路面には何らの異物を残さず回収除去する様にしているものである。
【実施例】
【００１４】  以下、本発明にかかる景観舗装における路面研掃機の最適実施例について説明すれば、原動機又は電動機１により任意の速度で自走又は手動で正逆に路面上を走行可能なる様に前後に車輪２、３を設けて密閉可能なる様に構成した機体４の後端部５には、研削粉塵を路面上に残留させることなく空気を吹き付ける噴気管６の下端に設けたブローノズル７を路面に近接して配設する。【００１５】  更に、機体４の前端部上方８には研削粉塵を吸引する吸引管９を設け、更にこれらのブローノズル７と吸引管９の間の機体中間部に、水平に高速回転する回転軸１０、１０’を単列若しくは複数列横設すると同時に、その回転軸１０、１０’の周囲には研掃刃１１、１１’を放射状に取着すると共に、この回転軸１０、１０’の回転方向、回転数を可変とし更に昇降を自在としてなるものであって、図中、１２は排気フレキシブルホース、１３は噴気フレキシブルホース、１４は密閉シールである。【００１６】  本発明は如上の構成によりなるものであるが、前記機体により路面の洗出し機能の後処理として随伴する公知の機器としては、原動機若しくは電動機により自走可能とした搬送車３０に、比較的大きい塵埃を分離除去するサイクロンセパレーター３１を連接する集塵機３２を搭載すると共に、ブロアー３３の高速回転の吸引により集塵機３２内の負圧状態を前記サイクロンセパレーター３１を介し、機体４の吸引管９に接続した排気フレシキブルホース１２をサイクロンセパレーター３１に接続して、ここで比較的大きい塵埃を分離除去した後、微細な粉塵は集塵機３２内に導入されて緻密な濾布３４により集塵濾過された後、集塵機３２の排気管３５より大気へ放出されるものである。【００１７】  又、ブロアー３３の排気気流の一部を前記機体４に接続した噴気フレシキブルホース１３により噴気管６の下端に接続したブローノズル７より噴出して洗出し、路面上に散在する剥離異物を吹き散らして機体４の吸気管９より前記する如く回収除去する様にして、集塵機３２の吸引力を一方ではブロー作用として利用し効率の良い洗出し作業を可能としているものである。【００１８】  尚、図２の３６は排気口、３７は風量調整用ダンパー、３８はブロアーモータ、３９はパルスエアーパイプ、４０はスクリュウーコンベアー、４１はロータリーバルブである。【００１９】  本発明により機体４の中間部に横列して設ける回転軸１０、１０’の周囲に放射状に取着する砥石、鑢、鋼線、ディスクタイプ研磨剤、不織布タイプ、フラップホイールタイプ及びペーハータイプ等の研掃刃１１、１１’は、洗出しする開粒舗装、又はカラーアスファルト舗装等の材質及びその目的別により適宜選択して使用するものであり、又、これと研掃刃１１、１１’の回転方向、回転数及び昇降自在と相俟って走行スピードとの組合せにより如何様な場所における景観舗装にも対応して美麗な路面状況を創設するものである。
【発明の効果】
【００２０】  本発明によれば、従来の如く路面の空隙に埋没して錆の発生や骨材間の粘結材の剥離及び汚濁の憂いが生じる鋼粒の研掃材、砂粒等を遠心投射や高圧の空気や水を用いることなく、景観舗装の材質及びその使用目的に対応する様に適宜選択した単列若しくは複数列の研掃刃１１、１１’を回転方向、回転数及び昇降自在とし、且つ機体４の走行スピードを変換して路面の研掃を行い、且つブローノズル７より噴出する高圧空気が研掃路面上に散在する剥離異物を吹き散らしてこれを吸引管９より強制的に回収除去する様にしているものあるから、本来の透水性、排水性のある開立舗装の機能を果たし、又は着色骨材の色をそのまま表面に浮き出させるカラーアスファルト舗装の美観を長期間維持できる極めて有用なるものである。
【図面の簡単な説明】
【図１】  本発明にかかる景観舗装における路面研掃機の概要側面図である。
【図２】  本発明に随伴する公知の集塵機等を搭載した搬送車の概略側面図である。
【符号の説明】
１            原動機又は電動機
２、３        車輪
４            機体
５            機体の後端部
６            噴気管
７            ブローノズル
８            機体の前端部上方
９            吸引管
１０、１０’  回転軸
１１、１１’  研掃刃
１２          排気フレシキブルホース
１３          噴気フレシキブルホース
３０          搬送車
３１          サイクロンセパレーター
３２          集塵機
３３          ブロアー
３４          濾布
３５          排気管
【図１】
2005061184.tif 000003
【図２】
2005061184.tif 000004